(57)【要約】【課題】フックに沿って陳列されている位置にかかわらず簡単に脱着することができるとともに、商品の陳列密度を高めることができるフック陳列用の包装容器を提供する。【解決手段】フック２に吊り下げられた状態で商品を陳列するための包装容器１であって、フックに吊り下げ可能に構成された吊着部１４を有し、吊着部は、平板状で、表裏方向を法線とする面の一部が切り欠かれてなる切欠部２０と、当該切欠部の開放端側において切欠４１の両側に配置されている二つの端部１８のそれぞれに一つずつ取り付けられた合計二つの回転体（１５ａ、１５ｂ）とからなり、二つの回転体は、平板状の吊着部の表裏方向に延長する回転軸１００周りに回転可能に取り付けられているとともに、当該二つの回転体の周縁同士が前記フックに吊り下げ可能となるように近接しており、切欠部は、二つの端部間の間隙を離隔させる方向に加わる応力によって弾性変形する。【選択図】図２
2020196523.tif 000002
【特許請求の範囲】
【請求項１】
フックに吊り下げられた状態で商品を陳列するための包装容器であって、
前記フックに吊り下げ可能に構成された吊着部を有し、
前記吊着部は、平板状で、表裏方向を法線とする面の一部が切り欠かれてなる切欠部と、当該切欠部の開放端側において切欠の両側に配置されている二つの端部のそれぞれに一つずつ取り付けられた合計二つの回転体とからなり、
前記二つの回転体は、平板状の前記吊着部の表裏方向に延長する回転軸周りに回転可能に取り付けられているとともに、当該二つの回転体の周縁同士が前記フックに吊り下げ可能となるように近接しており、
前記切欠部は、前記二つの端部間の間隙を離隔させる方向に加わる応力によって弾性変形する、
ことを特徴とする包装容器。
【請求項２】
請求項１に記載の包装容器であって、前記回転体は、二つの円板状部材によって前記吊着部の表裏方向で狭持されつつ、前記二つの円板状部材が前記回転軸周りに回転可能に前記端部に軸支されていることを特徴とする包装容器。
【請求項３】
請求項１または２に記載の包装容器であって、前記回転体は、弾性変形する素材からなることを特徴とする包装容器。
【発明の詳細な説明】
【技術分野】
【０００１】
本発明は、ハンガータイプの包装容器に関する。
【背景技術】
【０００２】
店頭における商品の陳列形態として、フック陳列がある。フック陳列は、商品本体が収納された商品パッケージ（以下、「包装容器」と言うことがある）を棒状のフックに吊り下げて陳列する方法である。フック陳列用の包装容器はハンガータイプなどと呼ばれ、ハンガータイプの包装容器としては、例えば、ブリスターパックがある。
【０００３】
図１にハンガータイプのブリスターパックの一例を示した。図１Ａはブリスターパック１０１の外観図であり、図１Ｂは複数のブリスターパック１０１をフック陳列した状態を示している。図１Ａに示したように、ブリスターパック１０１は、シート状またはフィルム状の樹脂や厚紙などからなる支持体１１１の一主面に、収納する商品の形状に沿うように成形された中空カップ状の容器部１１２を備えてなる。支持体１１１の一主面と容器部１１２の内面とによって形成される領域（以下、「収納空間１１３」と言うことがある。）には、商品が収納されている。そして、ブリスターパック１０１は、支持体１１１において、容器部１１２が配置されていない所定の位置に、自身をフック２に吊り下げるための吊着部１１４を備えている。ここに示したブリスターパック１０１では、吊着部１１４として孔１４１が形成されている。図１Ａに示したブリスターパック１０１をフック陳列する場合は、図１Ｂに示したように、孔１４１からなる吊着部１１４にフック２を挿通する。
【０００４】
なお、以下の特許文献１には、一般的なハンガータイプの包装容器と、その陳列方法の一例が記載されている。また、以下の非特許文献１には、フック陳列や、フック陳列に適した包装容器の特徴について記載されている。
【先行技術文献】
【特許文献】
【０００５】
【特許文献１】特開２０１７−８８２３６号公報
【非特許文献】
【０００６】
【非特許文献１】株式会社清和、”陳列方法に合わせたパッケージの選び方”、[online]、[平成３１年２月２１日検索]、インターネット＜ＵＲＬ：https://opening-support.net/column/display.php＞
【発明の概要】
【発明が解決しようとする課題】
【０００７】
図１Ａに示した、孔１４１からなる吊着部１１４を備えた包装容器１０１は、図１Ｂに示したように、フック２に吊り下げられて、複数個がフック２に沿って一列に並べられて陳列される。ところで、店頭では、例えば色違いの商品等、同一商品でありながら一部の属性が異なる商品が収納された包装容器１０１が、一つのフック２に混在して吊り下げられている場合がある。そして、ユーザーが購入しようとする属性を有する商品の包装容器１０１が商品の列の途中にある場合がある。あるいは、ユーザーが、多くの人の手によって触れられる可能性が高い列の先頭に陳列されている包装容器１０１よりも、列の途中にある包装容器１０１内の商品を購入したいと考える場合がある。
【０００８】
このような場合、ユーザーは、所望する商品の包装容器１０１が列の先頭にない場合、一つのフック２に一列に並べられた複数の包装容器１０１から、列の途中にある所望の包装容器１０１を取り出すことになる。すなわち、ユーザーは、目的の包装容器１０１よりもフック２の先端側に陳列されている包装容器１０１を全て取り出す必要がある。そして、目的の包装容器１０１を取り出したならば、他の包装容器１０１を、再度フック２に吊り下げる必要がある。なお、ハンガータイプの包装容器のなかには、例えば特許文献１に記載の包装ケースのように、支持体の一部が切り欠かれることによって、ハンガー状に形成されている吊着部を有するものがある。確かに、このような包装容器を使用して複数の商品パッケージをフック陳列する場合では、フック２の先端側に陳列されている他の商品パッケージを取り外すことなく、列の途中に陳列されている商品の包装容器を簡単に取り外すことができる。また、ハンガータイプの包装容器であれば、他の商品の包装容器がフック２に陳列されている状態のまま、取り外した包装容器を、再度元の位置に戻すこともできる。
【０００９】
しかしながら、ハンガータイプの包装容器では、フックから取り外したり、フックに吊り下げたりするために、フック２の下方の空間に加えて、支持体の面内方向にも空間が必要となる。そして、店頭には、普通、複数のフック２が支持体の面方向に並べて設置されているため、一つのフック２からハンガータイプの包装容器を取り外すとときに、その包装容器が隣接するフック２に陳列されている他の包装容器に干渉する可能性がある。
【００１０】
さらに、孔からなる吊着部を備えた従来の包装容器であっても、フック２に吊着されている状態では、吊着部を支点にして支持体の面内で揺動することから、包装容器を一つのフックから着脱する際に、その包装容器が隣接するフックに陳列されている他の商品の包装容器に干渉する可能性がある。そして、包装容器同士が干渉すれば、支持体の表面が傷む虞がある。包装容器同士の干渉を防止するために、フック同士の間隔を広げれば、商品の陳列密度が低下する。
【００１１】
そこで本発明は、フックに沿って陳列されている位置にかかわらず簡単に脱着することができるとともに、商品の陳列密度を高めることができるフック陳列用の包装容器を提供することを目的としている。
【課題を解決するための手段】
【００１２】
上記目的を達成するための本発明の一態様は、フックに吊り下げられた状態で商品を陳列するための包装容器であって、
前記フックに吊り下げ可能に構成された吊着部を有し、
前記吊着部は、平板状で、表裏方向を法線とする面の一部が切り欠かれてなる切欠部と、当該切欠部の開放端側において切欠の両側に配置されている二つの端部のそれぞれに一つずつ取り付けられた合計二つの回転体とからなり、
前記二つの回転体は、平板状の前記吊着部の表裏方向に延長する回転軸周りに回転可能に取り付けられているとともに、当該二つの回転体の周縁同士が前記フックに吊り下げ可能となるように近接しており、
前記切欠部は、前記二つの端部間の間隙を離隔させる方向に加わる応力によって弾性変形する、
ことを特徴とする包装容器としている。
【００１３】
前記回転体は、二つの円板状部材によって前記吊着部の表裏方向で狭持されつつ、前記二つの円板状部材が前記回転軸周りに回転可能に前記端部に軸支されていることが好ましい。
【００１４】
また、前記回転体が、弾性変形する素材からなるとしてもよい。
【発明の効果】
【００１５】
本発明によれば、フックに沿って陳列されている位置にかかわらず簡単に脱着することができるとともに、商品の陳列密度を高めることができるフック陳列用の包装容器が提供される。なお、その他の効果については以下の記載で明らかにする。
【図面の簡単な説明】
【００１６】
【図１Ａ】一般的なブリスターパックを示す図である。
【図１Ｂ】フックに取り付けられた状態のブリスターパックを示す図である。
【図２】本発明の実施例に係るブリスターパックを示す図である。
【図３】本発明の実施例に係るブリスターパックの分解斜視図である。
【図４】フックに取り付けられた状態の上記実施例に係るブリスターパックの吊着部周辺を模式的に示す図である。
【図５Ａ】他の実施例に係るブリスターパックの切欠部を示す図である。
【図５Ｂ】他の実施例に係るブリスターパックの切欠部を示す図である。
【発明を実施するための形態】
【００１７】
以下、本発明の実施形態について、図面を参照しつつ説明する。なお、以下の説明に用いた図面においては、同一、または類似の部分に同一の符号を付すことによって、重複する説明を省略することがある。また、図面によっては、説明の際に不要な符号を省略することがある。
【００１８】
＝＝＝実施例＝＝＝
図２に本発明の実施例に係る包装容器１の外観を示した。図２に示したように、包装容器１は、ブリスターパックであり、図１Ａ、図１Ｂに示した包装容器１０１と同様に、内部１３に収納した商品をフック２に吊り下げて陳列するためのものである。概略的には、厚紙やプラスチックからなる平板状の支持体１１の一主面に、収納する商品の形状に沿うように成形された中空カップ状の容器部１２が設けられてなる。
【００１９】
ここで、鉛直線の方向を上下方向とし、前記鉛直線と直交するいずれかの方向に支持体１１の一主面に対する法線があるものとし、当該法線方向を前後方向とするとともに、支持体１１の前面に容器１２が設けられていることとして前後の各方向を規定することとする。また、前記フック２は、前後方向と鉛直方向とを含む面内に配置され、概ね、前後方向に沿っているものとする。また、前方に当該フック２の先端があるものとする。そして、包装容器（以下、ブリスターパック１と言うことがある）がフック２に吊り下げられた状態では、吊着部１４が支持体１１の上端側に形成されているものとして、上下の各方向を規定することとする。さらに、前後、上下の各方向に直交する方向を左右方向とする。
【００２０】
図２に示したように、ブリスターパック１は、前後方向に延長する回転軸（１００ａ、１００ｂ）を有する二つの略円盤状の回転体（１５ａ、１５ｂ）と、支持体１１の上端側に形成された切欠４１とによって形成される吊着部１４を備えている。二つの回転体（１５ａ、１５ｂ）は、二つの円板状部材（１６、１７）によって支持体１１が前後方向で狭持されつつ同軸に軸支されてなる。そして、支持体１１の前面側と後面側とに左右に並んで配置された二つの円板状部材（１６−１６、１７−１７）は、互いの外周面が当接した状態で左右対称に配置されている。それによって、切欠４１の上端側は閉じた状態となっている。そして、回転体（１５ａ、１５ｂ）と切欠４１とによって吊着部１４が形成されている。なお、二つの円板状部材（１６、１７）は互いに接していなくてもよく、二つの円板状部材（１６、１７）間の距離は、フック２に吊り下げられる程度に近接していればよい。すなわち、二つの円板状部材（１６、１７）の間に間隙が生じている場合も、二つの円板状部材（１６、１７）同士の距離が、例えばフック２の直径など、前後方向から見たときのフック２の左右方向の幅よりも小さければよい。
【００２１】
図２に示したブリスターパック１によって商品を陳列する際には、吊着部１４にフック２を挿通させる。このとき、フック２と二つの回転体（１５ａ、１５ｂ）とは、それぞれ、軸（１００ａ、１００ｂ）方向に線接触する。
【００２２】
図３に、ブリスターパック１の分解斜視図を示した。図３では、支持体１１から回転体（１５ａ、１５ｂ）を取り外したときのブリスターパック１を示した。図３に示したように、支持体１１の上端側は、前後方向から見ると、切欠４１によって上端が開放するＣ字状に形成されてなる切欠部２０となっている。
【００２３】
切欠部２０の開放端側には、左右方向で対向するＣ字の二つの端部１８が形成されている。また、二つの端部１８のそれぞれには、前後方向に貫通する軸孔１９が形成されている。そして、二つの回転体（１５ａ、１５ｂ）のそれぞれを構成する二つの円板状部材（１６、１７）が、Ｃ字型の切欠部２０の端部１８を前後方向で狭持しつつ、ハトメなどによって軸孔１９に回転可能に取り付けられている。
【００２４】
また、支持体１１において、少なくとも切欠部２０が形成されている上端側の領域は、弾性を有し、左右方向の応力によって変形できるように構成されている。すなわち、切欠部２０の左右の端部１８のそれぞれに左右外方向の応力が加わると、当該端部１８同士が左右方向に離隔する。したがって、フック２に吊り下げられているブリスターパック１を下方に引っ張ると、回転体（１５ａ、１５ｂ）とフック２との接触面に生じた摩擦力によって二つの回転体（１５ａ、１５ｂ）が回転するとともに、切欠部２０の端部１８間の間隙が広がるように左右外方向に変形し、互いに当接していた回転体（１５ａ、１５ｂ）同士がフック２の直径よりも大きく離隔する。その結果、フック２が吊着部１４の外側に案内され、当該ブリスターパック１をフック２から取り外すことができる。すなわち、フック２に複数のブリスターパック１が一列に吊り下げられていても、先端側に陳列されている他のブリスターパック１を取り外したり、左右に揺動させたりすることなく、列の途中にあるブリスターパック１を取り外すことができる。そして、ブリスターパック１がフック２から取り外されると、二つの回転体（１５ａ、１５ｂ）は、切欠部２０における弾性によって、左右に離隔した状態から復元し、再び互いに当接ないし近接した状態となる。
【００２５】
また、フック２から取り外された状態のブリスターパック１を、フック２に取り付ける際には、回転体（１５ａ、１５ｂ）の回転軸（１００ａ、１００ｂ）とフック２の延長方向とが平行になる姿勢で、かつ、前後方向から見て、フック２と二つの回転体（１５ａ、１５ｂ）との接触点とが鉛直方向に並ぶようにしてブリスターパック１を上方に押し上げればよい。それによって、ブリスターパック１を取り外したときと逆の動作によってフック２が吊着部１４の内側に案内される。これにより、フック２に複数のブリスターパック１が一列に並んで取り付けられている状態で、フック２から取り外したブリスターパック１を、列の途中に戻すことができる。
【００２６】
このように、実施例に係るブリスターパック１は、鉛直方向に上下動させるだけで、簡単にフック２から取り外したり、フック２に取り付けたりすることができるようになっている。また、商品をフック陳列する際に実施例に係るブリスターパック１を用いれば、商品の陳列密度を高めることもできる。
【００２７】
なお、回転体（１５ａ、１５ｂ）同士を左右に離隔させることができる距離は、回転体（１５ａ、１５ｂ）が取り付けられている切欠部２０の領域における支持体１１の降伏点に応じて決定される。言い換えれば、支持体１１は、少なくとも切欠部２０の領域において、吊着部１４の上側を水平方向に変形させたときに、支持体１１のねじれやよれを伴う場合も含めて、回転体（１５ａ、１５ｂ）同士をフック２の直径よりも長く離間させることができる材料や厚さで作製されていればよい
図４に前方から見たときのブリスターパック１を示した。図４には、フック陳列されているときのブリスターパック１の吊着部１４の周辺が示されている。図４に示したように、フック陳列されているブリスターパック１は、フック２が、左右対称に配置されている二つの回転体（１５ａ、１５ｂ）のそれぞれと、前後方向に線接触している。これにより、ブリスターパック１の左右方向、および前後方向の揺動を防止することができ、商品の陳列密度を高めることができる。とくに、実施例に係る包装容器１では、支持体１１の前後両面に円板状部材（１６、１７）が配置されており、フック２と回転体（１５ａ、１５ｂ）とがより長い距離にわたって前後方向に線接触することができる。そのため、フック陳列されているブリスターパック１は、前後方向の揺動がより抑制され、さらに、上下方向の軸周りの回転も抑制される。したがって、実施例に係るブリスターパック１は、フック陳列されると、前後方向から見たときに、商品が傾いた状態にならず、美観に優れた状態で商品を陳列することができる。
【００２８】
＝＝＝その他の実施例＝＝＝
以上、本発明を実施するための形態について説明した。上記実施形態は、本発明の理解を容易にするためのものであって、本発明を限定して解釈するためのものではない。また、本発明の実施形態は本発明の趣旨を逸脱することなく変更、改良され得るとともに、本発明にはその等価物も含まれる。本発明の実施形態は、例えば、以下の点について変更することができる。
【００２９】
上記実施例においては、包装容器が、シート状またはフィルム状の樹脂や厚紙などからなる支持体１１の一主面に、収納する商品の形状に沿うように成形された中空カップ状の容器部１２を備えてなるブリスターパック１であるとして説明したが、支持体１１および容器部１２の材料や厚み、形状や、支持体１１と容器部１２との相対的な位置関係、支持体１１と容器部１２との固定方法などは、適宜に変更することができる。例えば、支持体１１の一主面の一部に容器部１２が留め具で固定されていてもよいし、支持体１１の一主面の全面を容器部１２が覆っていてもよい。
【００３０】
上記実施例においては、切欠部２０は、前後方向から見ると上端が開放するＣ字状に形成されていたが、切欠部は、左右方向の幅が、例えばフック２の直径など、前後方向から見たときのフック２の左右方向の幅よりも大きな切欠４１を含んでいればよく、その形状は、上記の実施例に限られず、適宜に変更することができる。前後方向から見たときの切欠部の形状は、例えば図５Ａに示すように、切欠４１の左右が上方に突出する形状であってもよいし、また例えば図５Ｂに示すように、上端が開放するＵ字型であってもよい。
【００３１】
吊着部１４の形状や大きさ、位置などは、上記の実施例に限られず、適宜に変更することができる。
【００３２】
上記実施例においては、包装容器がブリスターパック１であるとして説明したが、包装容器は、ブリスターパック１に限らずさまざまなものを適用することができる。包装容器は、例えば、シート状またはフィルム状の樹脂や厚紙などからなる箱状の容器であってもよいし、支持体がラミネートフィルムからなる扁平袋状の容器であってもよい。いずれにしても、支持体１１の上端側が弾性変形可能で、切欠４１と回転体（１５ａ、１５ｂ）とからなる吊着部１４を備えていればよい。
【００３３】
上記実施例における回転体（１５ａ、１５ｂ）の大きさは、上述した顕著な効果を奏するのであれば、その具体的な直径や厚みなどは適宜に決定することができる。
【００３４】
回転体（１５ａ、１５ｂ）は、支持体１１の一主面に配置された一つの円板状部材で構成されていてもよい。
【００３５】
回転体（１５ａ、１５ｂ）は、例えばポリスチレンやポリオレフィンなどからなる発泡プラスチックや、クロロプレンゴム（Polychloroprene）など、それ自体が弾性変形するクッション性を有する素材によって構成されていてもよい。それによって、変形に伴う支持体１１の疲労や、回転体（１５ａ、１５ｂ）との接触によるフック２の表面の損傷などを低減することができる。
【符号の説明】
【００３６】
１  ブリスターパック（包装容器）、２  フック、１１，１１１  支持体、
１２，１１２  容器部、１４，１１４  吊着部、１５ａ，１５ｂ  回転体、
１６，１７  円板状部材、１８  切欠部の端部、１９  軸孔、２０  切欠部、
４１  切欠、１４１  貫通孔、１００  回転軸
【図１Ａ】
2020196523.tif 000003
【図１Ｂ】
2020196523.tif 000004
【図２】
2020196523.tif 000005
【図３】
2020196523.tif 000006
【図４】
2020196523.tif 000007
【図５Ａ】
2020196523.tif 000008
【図５Ｂ】
2020196523.tif 000009